(57)【要約】【課題】飛翔昆虫がファンに衝突することを防ぎ、ファン表面に飛翔昆虫の死骸や体液が付着しにくい換気扇を提供することを目的としている。【解決手段】室内側に設けられた吸込口３と室外側に設けられた吐出口４と、吸込口３から吐出口４を通貫する風路５と、風路５内に室内側から室外側へ向かう気流を発生させるモーター６およびファン７と、風路５に吸い込んだ飛翔昆虫を分離するサイクロン分離装置８と、サイクロン分離装置８下方に接続した捕集室９と、吸込口３外部に飛翔昆虫を誘引するガスを発生させるガス発生装置１０を備え、サイクロン分離装置８をファン７よりも風路５内上流側に配置し、前記捕集室９を前記風路５から隔離して配置している換気扇としたことで、ファン表面に飛翔昆虫の死骸が付着しにくい換気扇を提供することができる。【選択図】図１
2019092435.tif 000002
【特許請求の範囲】
【請求項１】
室内側に設けられた吸込口と室外側に設けられた吐出口と、吸込口から吐出口を通貫する風路と、風路内に室内側から室外側へ向かう気流を発生させるモーターおよびファンと、前記風路内に吸い込んだ飛翔昆虫を分離するサイクロン分離装置と、サイクロン分離装置下方に接続した捕集室と、吸込口外部に飛翔昆虫を誘引するガスを発生させるガス発生装置を備え、サイクロン分離装置をファンよりも風路内上流側に配置し、前記捕集室を前記風路から隔離して配置している換気扇。
【請求項２】
捕集室に溜まった虫を排出する排出手段を備えた請求項１記載の換気扇。
【請求項３】
排出手段が取り出し可能な捕集皿である請求項２記載の換気扇。
【請求項４】
ガス発生装置が光触媒と樹脂成分が均等に混合された混合固体とガス放出口と光源を備え、光触媒作用を用いて二酸化炭素を放出することのできる請求項１記載の換気扇。
【請求項５】
吸込口前面に化粧パネルを備えた請求項１記載の換気扇。
【請求項６】
少なくともフロントパネル、吸込口側の風路内周部、吸込口外外縁部のいずれかに一箇所に熱源を備えた請求項１の換気扇。
【発明の詳細な説明】
【技術分野】
【０００１】
本発明は、室内空気を屋外へ排出する換気扇において、室内の飛翔昆虫を室外へと排出するための換気扇に関するものである。
【背景技術】
【０００２】
従来、この種の飛翔昆虫を室外へと排出する換気扇としては、吸込口付近に飛翔昆虫を誘引するための誘引部と、排気流を発生させるファンを備えた換気扇が知られている。すなわち、図７に示すように、吸込口１０１付近に誘引部１０２として光源を備え、誘引部に近付いた飛翔昆虫を、風路内のモーター１０３およびファン１０４を用いて発生させた気流で風路内に吸込み、室外へと排出する換気扇であった（例えば特許文献１参照）。
【先行技術文献】
【特許文献】
【０００３】
【特許文献１】特開平１０−２２７５０３号公報
【発明の概要】
【発明が解決しようとする課題】
【０００４】
このような従来の飛翔昆虫を排出する換気扇では、風路内に備えられた回転中のファンに飛翔昆虫が衝突することで、飛翔昆虫の死骸がファン表面に付着して頻繁にメンテナンスを行う必要があった。また、飛翔昆虫の死骸や体液が風路や開口部付近に飛散して汚染されるという課題があった。
【０００５】
本発明は、このような従来の課題を解決するものであり、飛翔昆虫がファンに衝突することを防ぎ、ファン表面に飛翔昆虫の死骸や体液が付着しにくい換気扇を提供することを目的としている。
【課題を解決するための手段】
【０００６】
この目的を解決するために、本発明は、室内側に設けられた吸込口と室外側に設けられた吐出口と、吸込口から吐出口を通貫する風路と、風路内に室内側から室外側へ向かう気流を発生させるモーターおよびファンと、前記風路内に吸い込んだ飛翔昆虫を分離するサイクロン分離装置と、サイクロン分離装置下方に接続した捕集室と、吸込口外部に飛翔昆虫を誘引するガスを発生させるガス発生装置を備え、サイクロン分離装置をファンよりも風路内上流側に配置し、前記捕集室を前記風路から隔離して配置している換気扇であり、これにより所期の目標を達成するものである。
【発明の効果】
【０００７】
本発明によれば、風路内に設けられたファンの上流側にサイクロン分離装置を設置したことにより、吸込口へ捕集した飛翔昆虫をファンに到達するよりも前に風路外へと排出することができ、ファンに衝突する飛翔昆虫の数を削減することができるため、換気扇内の飛翔昆虫の死骸や体液による汚れを大幅に抑制することができる。
【０００８】
また、分離した飛翔昆虫を捕集室に捕集し、排出することができるので、メンテナンスにかかる時間を削減することができる。
【図面の簡単な説明】
【０００９】
【図１】本発明の実施の形態１の換気扇を示す側面断面図
【図２】同換気扇を室内側から見た斜視図
【図３】同換気扇内に備えたサイクロン分離装置斜視図
【図４】本発明の実施の形態２の換気扇を示す側面断面図
【図５】本発明の実施の形態３の換気扇を示す側面断面図
【図６】同換気扇を示す斜視図
【図７】従来の飛翔昆虫排出換気扇を示す側面断面図
【発明を実施するための形態】
【００１０】
本発明の請求項１に係る換気扇は、室内側に設けられた吸込口と室外側に設けられた吐出口と、吸込口から吐出口を通貫する風路と、風路内に室内側から室外側へ向かう気流を発生させるモーターおよびファンと、前記風路内に吸い込んだ飛翔昆虫を分離するサイクロン分離装置と、サイクロン分離装置下方に接続した捕集室と、吸込口外部に飛翔昆虫を誘引するガスを発生させるガス発生装置を備え、サイクロン分離装置をファンよりも風路内上流側に配置し、前記捕集室を前記風路から隔離して配置している構成を有する。
【００１１】
これにより、風路内に設けられたファンの上流側にサイクロン分離装置を設置したことにより、吸込口から捕集した飛翔昆虫がファンに到達する前にサイクロン分離装置で飛翔昆虫を風路外へと排出し、ファンに衝突する飛翔昆虫の数を減らすことができるため、換気扇内の飛翔昆虫の死骸や体液による汚れを大幅に抑制するという効果を得る。
【００１２】
また、請求項２に係る換気扇は、捕集室に溜まった虫を排出する手段を備えた構成にしてもよい。
【００１３】
これにより、捕集室に溜まった虫や埃を排出することができ、捕集室から溢れた虫や埃を再度風路内に吸込むことを抑制することができるという効果を得る。
【００１４】
また、請求項３に係る換気扇は、排出手段は捕集室に備えた取り出し可能な捕集皿という構成にしてもよい。
【００１５】
これにより、捕集室に溜まった虫や埃を簡単に取り出すことが可能であり、捕集室から虫や埃が溢れる前に清掃を行うことができるという効果を得る。
【００１６】
また、請求項４に係る換気扇は、ガス発生装置が光触媒と樹脂成分が均等に混合された混合固体とガス放出口と光源を備え、光触媒作用を用いて二酸化炭素を放出する構成にしてもよい。
【００１７】
これにより、二酸化炭素を用いて飛翔昆虫を換気扇吸込口付近まで誘引し、ファンの気流により風路内へ誘導し屋外へ排出するという効果を得る。
【００１８】
また、請求項５に係る換気扇は、吸込口前面にフロントパネルを備えた構成にしてもよい。
【００１９】
これにより、風路内のサイクロン分離装置を外部から見えなくすることができ、部屋の内装と調和の取れたデザインが可能になるという効果を得る。
【００２０】
また、請求項６に係る換気扇は、少なくともフロントパネル、吸込口側の風路内周部、吸込口外外縁部のいずれかに一箇所に熱源を備えた構成にしてもよい。
【００２１】
これにより、飛翔昆虫の熱源に止まろうとする性質を利用し、風路内へと飛翔昆虫を誘導することができるという効果を得る。
【００２２】
以下、本発明の実施の形態について図面を参照しながら説明する。
【００２３】
（実施の形態１）
図１から図３は本実施の形態における換気扇の図である。図１は、換気扇を示す側面断面図、図２は換気扇を室内側から見た斜視図、図３は、換気扇内に備えたサイクロン分離装置の斜視図を示す。
【００２４】
本実施の形態１の換気扇１は、図１に示すように部屋の壁面を貫通して取り付けられている。
【００２５】
換気扇１は、パネル２と、吸込口３と、吐出口４と、吸込口３から吐出口４へ連通する風路５と、モーター６とモーター６の軸に取り付けられたファン７と、サイクロン分離装置８と、捕集室９と、ガス発生装置１０とから構成されている。
【００２６】
吸込口３は部屋の室内側に、吐出口４は室外側に配置されている。
換気扇１の前面において、パネル２を備え、吸込口３を配置している。
【００２７】
モーター６とモーター６の軸に取り付けられたファン７は、室内側から室外側へ向かう空気流を形成するものである。
【００２８】
サイクロン分離装置８は、風路５内に吸い込んだ飛翔昆虫を分離するものである。図１に示すように、風路５内においてパネル２と、ファン７との間に備えている。すなわちサイクロン分離装置８は、ファン７の気流の上流側に配置している。
【００２９】
図２に示すように、サイクロン分離装置８の前面がパネル２の内周である吸込口３と接するように配置されており、室内側からはパネル２、サイクロン分離装置８およびサイクロン流入口１２のみが見える構造となっている。
【００３０】
また、図３に示すように、サイクロン分離装置８は、サイクロン流入口１２と、旋回促進羽根１３と、サイクロン排出口１４と、サイクロン吐出口１５から構成されている。
【００３１】
サイクロン流入口１２は、吸込口３の気流の下流側に接続された開口である。サイクロン流入口１２の開口面積は、吸込口３の開口面積に対して小さくしているので、パネル２表面での風速を速くしている。加えて、サイクロン分離装置８内に螺旋状の気流を発生させる構造を有している。すなわち、図３に示すようにサイクロン流入口１２は、中心軸１６の周り３６０度に渡って一定の隙間を開けて放射状に配置した開口であって、下流側に旋回促進羽根１３を備えている。旋回促進羽根１３は中心軸１６に対して全て同じ角度を向いている旋回促進羽根である。なお、旋回促進羽根１３に替えてサイクロン流入口１２の下流側に螺旋板を備えた構造であってもよい。
【００３２】
また、サイクロン分離装置８は、サイクロン排出口１４を介して捕集室９と接続されている。
【００３３】
捕集室９は、風路５から隔離した外周側に位置するように配置している。
【００３４】
ガス発生装置１０は、飛翔昆虫を誘引するためのガスを発生させるものである。光触媒と分解性の樹脂成分が均等に混合された混合固体と、光源とガス放出口を具備している。光源から発した光を受けた光触媒が混合された樹脂成分を分解し、ガス発生装置１０に発生した二酸化炭素をガス放出口から放出し、室内の蚊を誘引することができる。光源は、光触媒を活性化させる光を照射する役割を担う。光源として、例えばＬＥＤや蛍光灯などが挙げられる。特に発熱が少なく、高い指向性を持つ光を光触媒に照射できるという点からＬＥＤが好ましい。光触媒は光源から発せられた光により活性化され、混合された樹脂成分の分子を分解して二酸化炭素を発生させる。光触媒として用いられる材料は前記条件を満たすものであればよく、特に限定されない。例えば、二酸化チタン（ＴｉＯ２）、酸化亜鉛（ＺｎＯ）、酸化ニッケル（ＮｉＯ）、 酸化銅（Ｃｕ２Ｏ）、二酸化スズ（Ｓｎ２）などが挙げられる。中でも安価で生態安全性が確認されているという点からに酸化チタンが好ましい。
【００３５】
上記構成において、ガス発生装置１０により吸込口３付近へと誘引された飛翔昆虫をファン７により吸込口３から吸引することができる。飛翔昆虫を吸引する気流は、サイクロン流入口１２から旋回促進羽根１３を通って旋回しながらサイクロン分離装置８の内部へと流入し、空気流はサイクロン吐出口１５を通り吐出口４へと流出して行く。しかし、旋回流中の虫や埃といった一定の質量を持つ物体は流れの変化に追随できず、遠心力を受けサイクロン分離装置８内で外縁側へと移動し、サイクロン排出口１４から捕集室９へと排出される。
【００３６】
（実施の形態２）
図４は、実施の形態２の換気扇を示す側面断面図である。図４において、実施の形態１と同一の部分は同一符号を付し、その詳細な説明は省略する。
【００３７】
図４に示すように、捕集室９の底面に捕集皿２０を設置し、捕集室壁面に捕集皿を取り出すための扉２１を備えている。
【００３８】
サイクロン分離装置８で分離した飛翔昆虫や埃を捕集皿２０に集め、扉２１を開けて捕集室９から捕集皿２０を取り出し、溜まった虫や埃を捨てることができる。
【００３９】
上記構成において、捕集室９の清掃を容易に行うことができるようになり、捕集皿２０が飛翔昆虫や埃で一杯になる前に捕集皿２０内を空にすることができる。
【００４０】
（実施の形態３）
図５は、実施の形態の換気扇を示す側面断面図、図６は、換気扇の正面側の外観を示す斜視図を示す。
【００４１】
図５、図６において、実施の形態１と同一の部分は同一符号を付し、その詳細な説明は省略する。
【００４２】
図６に示すように換気扇１は、パネル２に接続受け部２５を設け、接続受け部２５に対応させて接続部２７を備えた化粧パネル２６を備えている。化粧パネル２６は、パネル２の前面側に配置されている。
接続部２７を換気扇本体との流入隙間を確保できる大きさとして接続受け部２５に接続することで、吸込口３の上流側の前面で、化粧パネル２６はパネル２に対して所定の距離を置いて、配置し換気扇１を構成するものである。
【００４３】
上記構成において、の接続部２７と接続受け部２５により化粧パネル２６とパネル２との間に流入隙間２８を形成でき、換気扇１の吸込風速を大きくすることができる。これにより換気扇１による飛翔昆虫の吸込能力が向上し、より遠方を飛行している飛翔昆虫まで吸込むことが可能になる。また、化粧パネル２６により換気扇内部が見えないフラットな外観となるため、インテリア性が向上する。
【００４４】
また、図５に示すように換気扇１は、パネル２の一部に熱源２９を備えている。なお、熱源は熱源を流入隙間２８付近または流入隙間２８の内部に配置されていれば、化粧パネル２６の裏側に配置されていてもよい。
【００４５】
蚊は二酸化炭素存在下で熱源に止まろうとする性質を持つため、熱源を流入隙間２８付近または流入隙間２８の内部に配置することで換気扇１に近付いた蚊を、より確実に流入隙間２８に誘い込み、室内から排出することができる。
【産業上の利用可能性】
【００４６】
室内空気を屋外へ排出するとともに、室内の飛翔昆虫を室外へと排出する換気装置として有用である。
【符号の説明】
【００４７】
１    換気扇
２    パネル
３    吸込口
４    吐出口
５    風路
６    モーター
７    ファン
８    サイクロン分離装置
９    捕集室
１０    ガス発生装置
１３    旋回促進羽根
１４    サイクロン排出口
１５    サイクロン吐出口
２０    捕集皿
２１    扉
２５    接続受け部
２６    化粧パネル
２７    接続部
２８    流入隙間
２９    熱源
【図１】
2019092435.tif 000003
【図２】
2019092435.tif 000004
【図３】
2019092435.tif 000005
【図４】
2019092435.tif 000006
【図５】
2019092435.tif 000007
【図６】
2019092435.tif 000008
【図７】
2019092435.tif 000009